(57)【特許請求の範囲】
【請求項１】
ホース成形軸にホースの原材料を供給してらせん状に捲回一体化して合成樹脂製ホースを製造する方法であって、
前記合成樹脂製ホースは、合成樹脂により円筒状に形成された内壁及び外壁と、内壁と外壁の間に配置され一体化された合成樹脂製の螺旋状の補強体とを有し、内壁と外壁と補強体によって中空の螺旋状空間が形成されると共に、
外壁が、互いに隣接する補強体の間で、ホース外側に向かって湾曲して膨出しており、
内壁が、互いに隣接する補強体の間で、ホース内側に向かって湾曲して膨出している
合成樹脂製ホースであり、
前記製造方法は、
所定の幅のテープ状合成樹脂製条帯をホース成形軸上で螺旋状に捲回し、条帯の両側縁部同士を一体化して円筒状の内壁を形成する工程、
内壁の外周に所定の断面形状を有するひも状の合成樹脂製条帯を螺旋状に捲回し、内壁の外周に一体化して螺旋状補強体を形成する工程、
螺旋状補強体の外周に所定の幅のテープ状合成樹脂製条帯を螺旋状に捲回し、条帯の両側縁部同士を一体化して円筒状の外壁を形成するとともに、螺旋状補強体の外周に外壁を一体化する工程により、
内壁と外壁と補強体によって中空の螺旋状空間が形成された合成樹脂製ホースを形成するとともに、
形成されつつある内壁及び外壁がいまだ塑性変形可能な状態にある間に、形成された螺旋状空間内に圧力を加えて、外壁をホース外側に、内壁をホース内側に膨出塑性変形させる
合成樹脂製ホースの製造方法。
【請求項２】
ホース成形軸にホースの原材料を供給してらせん状に捲回一体化して合成樹脂製ホースを製造する方法であって、
前記合成樹脂製ホースは、合成樹脂により円筒状に形成された内壁及び外壁と、内壁と外壁の間に配置され一体化された合成樹脂製の螺旋状の補強体とを有し、内壁と外壁と補強体によって中空の螺旋状空間が形成されると共に、
外壁が、互いに隣接する補強体の間で、ホース外側に向かって湾曲して膨出しており、
内壁が、互いに隣接する補強体の間で、ホース内側に向かって湾曲して膨出している
合成樹脂製ホースであり、
前記製造方法は、
形成されるホースのピッチの２倍以上の幅を有するテープ状合成樹脂製条帯をホース成形軸上で螺旋状に捲回し、先行して捲回された部分に後続するテープ状合成樹脂製条帯がオーバーラップして捲回されるようにしながら、オーバーラップするテープ状合成樹脂製条帯の間に、ひも状の樹脂条帯を挟み込んで、テープ状合成樹脂製条帯から内壁及び外壁を形成し、樹脂条帯から補強体を形成する工程により、
内壁と外壁と補強体によって中空の螺旋状空間が形成された合成樹脂製ホースを形成するとともに、
形成されつつある内壁及び外壁がいまだ塑性変形可能な状態にある間に、形成された螺旋状空間内に圧力を加えて、外壁をホース外側に、内壁をホース内側に膨出塑性変形させる
合成樹脂製ホースの製造方法。
【発明の詳細な説明】
【技術分野】
【０００１】
本発明は、合成樹脂製のホースに関する。特に、２重壁を有する合成樹脂製ホースに関するものである。
【背景技術】
【０００２】
合成樹脂製のホースとしては、地中埋設管や、雨水等の導水管、下水用配管として使用されるものがある。これらホースにおいて、ホースに適度な可撓性や断熱性等を与えるために、ホース壁を軟質樹脂により２重壁構造に形成し、２重のホース壁の間に硬質樹脂からなる螺旋状補強体を一体化したホースが使用されることがある。
【０００３】
例えば、特許文献１には、図３に示したように、軟質合成樹脂製の内管９１上に断面円形状の硬質合成樹脂よりなる中空補強芯線材９２を螺旋状に巻着していると共にこの中空補強芯線材９２上に軟質合成樹脂製の外管９３を一体に設けてなる合成樹脂製ホース９が開示され、中空補強芯線材９２によってホースを断面円環形状に保形するとともに、内管９１、外管９３、中空補強芯線材９２により形成される螺旋状空間を、ホースの断熱性を向上させる空気層とすることが開示されている。
【先行技術文献】
【特許文献】
【０００４】
【特許文献１】特開２００８−１０６８７９号公報
【発明の概要】
【発明が解決しようとする課題】
【０００５】
上記特許文献に記載の合成樹脂製ホース９においては、内管９１は、断面がホース軸線と平行な直線状になるようなほぼ円筒の管として形成されていた。これは、公知のホース成形軸を用いたスパイラル成形法により上記ホースを製造すると、自然にそのような内管が形成されることに由来している。
【０００６】
しかしながら、内管９１がホース軸線と平行な直線状の断面に形成されていると、内管９１の変形がしなやかではなくなる。すなわち、ホース壁に働く力が小さい間は、断面が直線状の内管は、ホース軸方向の変形をあまりせずに、内管は屈曲や収縮に抵抗する。ところが、ホース壁に働く力が大きくなると、内管が補強体の間で座屈するように変形し、このような変形をした部分は、曲がりやすくなる。そのため、合成樹脂製ホース９は、曲げの力やモーメントが小さい間は曲がりにくいホースである一方、曲げの力やモーメントが大きくなると、ホースのある部位で曲げが生じ、その部位ばかりが曲がるようになり、合成樹脂製ホース９はしなやかさに欠けるホースとなる。ホースがしなやかさに欠けると、ホースを滑らかに湾曲させて配管することが難しくなるほか、ホースの一部が屈曲した部分で流れが悪くなったりする。
本発明の目的は、２重壁を有するホースの可撓性を改善し、しなやかな合成樹脂製ホースを提供することにある。
【課題を解決するための手段】
【０００７】
発明者は、鋭意検討の結果、ホースの２重壁を構成する内壁と外壁を、ホースの軸方向に互いに隣接する補強体の間で、外壁がホース外側に向かって湾曲して膨出し、内壁がホース内側に向かって湾曲して膨出させると、ホースのしなやかさを改善できることを知見し、本発明を完成させた。
【０００８】
本発明の製造方法によれば、合成樹脂により円筒状に形成された内壁及び外壁と、内壁と外壁の間に配置され一体化された合成樹脂製の螺旋状の補強体とを有し、内壁と外壁と補強体によって中空の螺旋状空間が形成された合成樹脂製ホースであって、外壁が、互いに隣接する補強体の間で、ホース外側に向かって湾曲して膨出しており、内壁が、互いに隣接する補強体の間で、ホース内側に向かって湾曲して膨出している合成樹脂製ホースが製造される。
【００１０】
本発明は、ホース成形軸にホースの原材料を供給してらせん状に捲回一体化して合成樹脂製ホースを製造する方法であって、前記合成樹脂製ホースは、合成樹脂により円筒状に形成された内壁及び外壁と、内壁と外壁の間に配置され一体化された合成樹脂製の螺旋状の補強体とを有し、内壁と外壁と補強体によって中空の螺旋状空間が形成されると共に、外壁が、互いに隣接する補強体の間で、ホース外側に向かって湾曲して膨出しており、内壁が、互いに隣接する補強体の間で、ホース内側に向かって湾曲して膨出している合成樹脂製ホースであり、前記製造方法は、所定の幅のテープ状合成樹脂製条帯をホース成形軸上で螺旋状に捲回し、条帯の両側縁部同士を一体化して円筒状の内壁を形成する工程、内壁の外周に所定の断面形状を有するひも状の合成樹脂製条帯を螺旋状に捲回し、内壁の外周に一体化して螺旋状補強体を形成する工程、螺旋状補強体の外周に所定の幅のテープ状合成樹脂製条帯を螺旋状に捲回し、条帯の両側縁部同士を一体化して円筒状の外壁を形成するとともに、螺旋状補強体の外周に外壁を一体化する工程により、内壁と外壁と補強体によって中空の螺旋状空間が形成された合成樹脂製ホースを形成するとともに、形成されつつある内壁及び外壁がいまだ塑性変形可能な状態にある間に、形成された螺旋状空間内に圧力を加えて、外壁をホース外側に、内壁をホース内側に膨出塑性変形させる合成樹脂製ホースの製造方法である（第１発明）。
【００１１】
また、本発明は、ホース成形軸にホースの原材料を供給してらせん状に捲回一体化して合成樹脂製ホースを製造する方法であって、前記合成樹脂製ホースは、合成樹脂により円筒状に形成された内壁及び外壁と、内壁と外壁の間に配置され一体化された合成樹脂製の螺旋状の補強体とを有し、内壁と外壁と補強体によって中空の螺旋状空間が形成されると共に、外壁が、互いに隣接する補強体の間で、ホース外側に向かって湾曲して膨出しており、内壁が、互いに隣接する補強体の間で、ホース内側に向かって湾曲して膨出している合成樹脂製ホースであり、前記製造方法は、形成されるホースのピッチの２倍以上の幅を有するテープ状合成樹脂製条帯をホース成形軸上で螺旋状に捲回し、先行して捲回された部分に後続するテープ状合成樹脂製条帯がオーバーラップして捲回されるようにしながら、オーバーラップするテープ状合成樹脂製条帯の間に、ひも状の樹脂条帯を挟み込んで、テープ状合成樹脂製条帯から内壁及び外壁を形成し、樹脂条帯から補強体を形成する工程により、内壁と外壁と補強体によって中空の螺旋状空間が形成された合成樹脂製ホースを形成するとともに、形成されつつある内壁及び外壁がいまだ塑性変形可能な状態にある間に、形成された螺旋状空間内に圧力を加えて、外壁をホース外側に、内壁をホース内側に膨出塑性変形させる合成樹脂製ホースの製造方法である（第２発明）。
【発明の効果】
【００１２】
本発明の製造方法により製造される合成樹脂製ホースによれば、合成樹脂製ホースがしなやかなホースとなる。さらに、螺旋状空間には、他の部材が充填されていないようにすれば、ホースがよりしなやかになると共に、螺旋状空間を圧力の伝達経路や、他の流体を通流させる管路として利用可能となるなど、ホースの有用性が高められる。また、第１発明や第２発明のホース製造方法によれば、そのようなしなやかなホースを効率的に製造することができる。
【図面の簡単な説明】
【００１３】
【図１】本発明の合成樹脂製ホースの構造を示す一部断面図である。
【図２】本発明の合成樹脂製ホースの製造方法を示す模式図である。
【図３】従来の合成樹脂製ホースの管壁の構造例を示す断面図である。
【図４】本発明の合成樹脂製ホースの他の製造方法を示す模式図である。
【発明を実施するための形態】
【００１４】
以下、本発明の実施形態を図面に基づいて説明する。以下に示す本発明に係る合成樹脂製ホース１は、例えば道路用橋梁の雨水の導水管として使用される合成樹脂製ホースである。本発明は以下に示す個別の実施形態に限定されるものではなく、その形態を変更して実施することもできる。
【００１５】
図１に示すように、合成樹脂製ホース１は、軟質合成樹脂（例えば軟質塩化ビニル樹脂等）製の内壁１１及び外壁１３と、内壁１１と外壁１３との間にらせん状に配置された硬質合成樹脂(例えば硬質塩化ビニル樹脂等)製の補強体１２とによって構成されている。内壁１１及び外壁１３は、それぞれが円筒状に形成されており、ホースの内外の雨水等の移動を遮断する働きをする。内壁１１は外壁１３よりもホース内側に配置されていて、内壁１１と外壁１３により、ホースが２重壁構造となっている。
補強体１２は所定の断面形状を有するひも状の樹脂部材がらせん状に捲回されて形成されている。本実施形態では、補強体１２の断面形状は、ホース内側に向かって開放した門型である。補強体１２の外周面はホース外壁１３の内周面に、補強体１２の内周面はホース内壁１１の外周面に接合一体化されている。本実施形態では、３者は互いに溶着一体化されている。
【００１６】
補強体１２はホースの筒状の形状を維持する。補強体１２はらせん状なので、ホース１の伸縮や曲げを許容する。内壁１１及び外壁１３は補強体１２に比べ、比較的軟質で可撓性に富む合成樹脂により構成されている。内壁１１及び外壁１３は、伸縮可能であり、内壁１１及び外壁１３がホース軸方向に伸縮変形することによって、合成樹脂性ホース１の伸縮・曲げが生ずる。
【００１７】
内壁１１と外壁１３の間には、所定の隙間が設けられている。この隙間は、螺旋状の補強体１２によって、ホース中心軸Ｌの方向に仕切られていて、内壁１１と外壁１３と補強体１２によって、中空の螺旋状空間Ｓが形成されている。本実施形態においては、螺旋状空間Ｓには、他の部材、例えば、充填材や発泡樹脂などの断熱材は、充填されておらず、螺旋状空間Ｓには常圧の空気が入っている。
【００１８】
互いに隣接する補強体１２の間、すなわち、螺旋状に捲回された補強体１２が互いに隣接する部分の間で、外壁１３は、ホース外側に向かって湾曲して膨出している。すなわち、補強体１２の間の外壁１３の断面は、ホース外側に向かって凸な円弧状に形成されている。また、互いに隣接する補強体１２の間、すなわち、螺旋状に捲回された補強体１２が互いに隣接する部分の間で、内壁１１は、ホース内側に向かって湾曲して膨出している。すなわち、補強体１２の間の内壁１１の断面は、ホース内側に向かって凸な円弧状に形成されている。
【００１９】
内壁１１や外壁１３を構成する軟質合成樹脂材料としては、補強体と比べ軟質の、例えばデュロＡ硬度で４５度から８５度の間の、合成樹脂材料が使用でき、例えば、エチレン酢酸ビニル樹脂（ＥＶＡ）や、軟質塩化ビニル樹脂（ＰＶＣ）や低密度ポリエチレン樹脂（ＬＤＰＥ）、熱可塑性ウレタン系エラストマー（ＴＰＵ）などの熱可塑性の軟質樹脂材料が好ましく使用できる。本実施形態においては、軟質塩化ビニル樹脂により内壁１１と外壁１３が形成されている。
【００２０】
補強体１２を構成する硬質合成樹脂材料としては、内壁や外壁と比べ硬質の、例えば、デュロＤ硬度で６０度〜９０度程度の、合成樹脂材料が使用でき、例えば、ポリプロピレン樹脂や高密度ポリエチレン樹脂やポリアミド樹脂や硬質塩化ビニル樹脂などの硬質熱可塑性樹脂が好ましく使用できる。本実施形態においては、硬質塩化ビニル樹脂により補強体１２が形成されている。
内壁１１や外壁１３及び補強体１２を構成する樹脂材料は互いに接着可能であるものを選択する。特に、互いに溶着可能な材料となるように選択することが好ましい。
【００２１】
上記合成樹脂製ホース１の製造方法について説明する。合成樹脂製ホース１は、ホース成形軸にホースの原材料を供給してらせん状に捲回一体化する、いわゆるスパイラル成形法により製造することができる。
【００２２】
まず、内壁となるべき樹脂材料（軟質塩化ビニル樹脂）を、ホース成形軸の送りピッチよりも大きな幅となるようなテープ状に、半溶融状態で押出成形した第１の樹脂条帯Ｔ１を、回転送り動作をしているホース成形軸ＳＦＴに供給する。第１の樹脂条帯Ｔ１は、ホース成形軸上で、螺旋状に捲回され、隣接する側縁部同士が重なり合うように一体化して、円筒状の内壁となる。
【００２３】
引き続き、補強体となるべき樹脂材料（硬質塩化ビニル樹脂）を、所定の断面形状（門型）を有するひも状に、半溶融状態で押出成形した樹脂ひも（樹脂条帯）Ｓ１を、形成された内壁の外周面に供給する。樹脂ひもＳ１は、内壁の外周に溶着しつつ、螺旋状に捲回されて、補強体となる。
【００２４】
引き続き、外壁となるべき樹脂材料（軟質塩化ビニル樹脂）を、ホース成形軸の送りピッチよりも大きな幅となるようなテープ状に、半溶融状態で押出成形した第２の樹脂条帯Ｔ２を、形成された補強体の外周に供給する。第２の樹脂条帯Ｔ２は、ホース成形軸の回転送り動作によって、螺旋状に捲回され、隣接する側縁部同士が重なり合うように一体化して、円筒状の外壁となりつつ、補強体の外周面に溶着される
【００２５】
引き続き、内壁と外壁に所定の膨出形状を与える。第２の樹脂条帯Ｔ２が補強体の外周に捲回された時点で、螺旋状の空間Ｓが形成されるが、第２樹脂条帯Ｔ２が補強体に巻きつけられる部分から、螺旋状空間Ｓに向かって、流体を供給し、螺旋状空間内の圧力を高める。流体は空気であってもよいし、水などの液体であっても良い。圧力を効果的に高めるために、成形されたホース１の先端部で、螺旋状空間Ｓを閉じたり、螺旋状空間Ｓの開口を小さくすることが好ましい。
【００２６】
螺旋状空間Ｓの内部に圧力がかかると、内壁がホース内側に湾曲して膨出し、外壁がホース外側に湾曲して膨出し、両者が塑性変形して、図１に示したような内壁と外壁の形態を有する合成樹脂製ホースが得られる。
【００２７】
ここで、流体を供給して圧力がかかる位置よりも下流側（図２で右側）において、形成されつつある内壁及び外壁がいまだ塑性変形可能な状態にある間に、圧力を加え、両者を塑性変形させることが重要である。通常、外壁は半溶融状態で捲回された直後に圧力がかかるため、外側に向かって膨出変形がたやすく起こる。一方、内壁を内側に膨出変形させるためには、第１樹脂条帯により形成されつつある内壁が、いまだ塑性変形可能な状態を維持したままで、ホース成形軸の末端ＳＦＴＥを通過するようにして、末端ＳＦＴＥよりも先（図２で右側）の部分で、空間Ｓに加えられた圧力によりホース内側に膨出変形するようにする。例えば、ホース成形軸ＳＦＴを保温・加熱するなどして、内壁の温度がホース成形軸によってあまり下がらないようにすることが好ましい。
【００２８】
加圧によって、内壁や外壁の膨出形状ができた後の位置で、冷却装置Ｃによりホースの内壁及び外壁を冷却し、ホースの形態を固定する。冷却には水や空気が使用できる。図２には、ホース外部からの冷却を行う冷却装置を示したが、ホース成形軸から冷却水や冷却空気を供給するようにすれば、ホース内周側から内壁を冷却することもできる。あるいは、空間Ｓを加圧するための流体を利用して冷却するようにしても良い。
以上の工程により、本実施形態の合成樹脂製ホースが、不定長で連続的に製造できる。
【００２９】
なお、上記製造方法では、溶着により内壁や外壁と補強体とが一体化される場合の製造方法の例を示したが、こられの一体化は接着剤を用いたものであっても良く、接着により一体化する場合には、ホース成形軸に捲回する段階で、適宜接着剤の塗布を行うようにすれば良い。
【００３０】
本発明の合成樹脂製ホースの作用効果を説明する。
本発明の合成樹脂製ホース１は、従来技術のものと比べしなやかなホースである。
図３に示したような、従来の構造の合成樹脂製ホースの場合には、内壁９１がホース中心軸と平行な直線状の断面となるように形成されていたため、内壁９１がホース収縮変形に対して抵抗となりやすかった。すなわち内壁９１は直線状断面の円筒に形成されていて、多少の収縮力が与えられた程度では、あまり変形せず、収縮力が大きくなった時点で、補強体の間の内壁が座屈するような変形をして、一気に内壁が収縮するような変形形態となることが多かった。そのため、従来の構造の合成樹脂製ホース９は、やや曲がりにくい一方で、一箇所が曲がると（その部分で内壁の座屈変形が起こると）、その部分だけが曲がりやすくなって、ホース全体を緩やかに曲げた形態で配管することが難しかった。すなわち、従来構造のホースはしなやかさに欠けていた。
【００３１】
一方、本発明の合成樹脂製ホース１は、互いに隣接する補強体の間で、外壁がホース外側に向かって、内壁がホース内側に向かって湾曲して膨出しており、湾曲した内壁や外壁は、ホースに働く収縮力が小さくても、その力に対し変形しやすく、収縮力に応じた変形をする。そのため、従来の構造の合成樹脂製ホースのように、ホース壁が突然座屈するように変形することが無く、ホースに緩やかな曲げを与えた形態に配管しやすい。
【００３２】
ホースのしなやかさを向上させる観点からは、内壁や外壁が湾曲・膨出する程度は、内壁や外壁の肉厚以上、より好ましくは肉厚の２倍以上、膨出していることが好ましい。
【００３３】
また、本発明の合成樹脂製ホース１において、外壁がホース外側に向かって膨出し、内壁がホース内側に向かって膨出していることも、ホースのしなやかさの向上に寄与している。外壁がホース内側に向かって膨出していたり、内壁がホース外側に向かって膨出していたりすると、収縮した際に内壁や外壁が螺旋状空間Ｓに向かって入り込むようになり、互いに干渉したりしてスムーズな変形が損なわれる恐れがある。
【００３４】
また、外壁がホース外側に向かって膨出し、内壁がホース内側に向かって膨出していることは、ホース１の継ぎ手部材への嵌合性の改善にも貢献する。継ぎ手部材が合成樹脂製ホース１の外周に嵌合される場合には、ホース外側に向かって膨出形成された外壁の部分が直線状に変形しつつ継ぎ手部材と嵌合するようになるため、継ぎ手部材とホース１の挿入・固定作業がやりやすくなる。また、外壁の外周面が付勢されて継ぎ手部材の内周面に密着するようになるので、合成樹脂製ホース１と継ぎ手部材の間の気密性や液密性が外壁の部分で損なわれることが抑制される。同様に、継ぎ手部材が合成樹脂製ホース１の内周に嵌合される場合には、ホース内側に向かって膨出形成された内壁の部分が直線状に変形しつつ継ぎ手部材と嵌合するようになるため、挿入・固定作業がやりやすくなるとともに、気密性や液密性が内壁の部分で損なわれることが抑制される。
【００３５】
さらに、本発明の合成樹脂製ホース１において、螺旋状空間Ｓには、他の部材が充填されていない場合には、内壁や外壁の変形が他の部材によって妨げられなくなるため、ホースがよりしなやかになる。また、螺旋状空間Ｓには、他の部材が充填されていないと、以下のような用途にこの空間を活用でき、ホースの有用性が高められる。他の部材が充填されていない螺旋状空間Ｓは、例えば、圧力の伝達経路、ホース本体を通流する物質とは別の気体や液体などを通流させるための管路、などとして活用できる。
【００３６】
また、上記ホース製造方法によれば、内壁と外壁と補強体によって中空の螺旋状空間が形成された合成樹脂製ホースを形成しなら、形成されつつある内壁及び外壁がいまだ塑性変形可能な状態にある間に、形成された螺旋状空間内に圧力を加えて、外壁をホース外側に、内壁をホース内側に膨出するよう塑性変形させるようにしたので、上記合成樹脂製ホース１を、既存の製造設備を活用して効率的に製造することができる。
【００３７】
本発明は、上記実施形態に限定されるものではなく、種々の改変をして実施することができる。例えば、ホースの用途は道路用橋梁の雨水の導水管に限定されるものではなく、下水や排水を流すための配管や、ケーブル保護用の地中埋設管、その他の用途にも使用できる。
【００３８】
また、補強体の断面形状は、中実の矩形形状や、中空の円形形状、外側に向かって開放した門型など、適宜変更しても良い。
【００３９】
また、上記実施形態の説明では、内壁１１を第１樹脂条帯Ｔ１により形成し、外壁１３を第２樹脂条帯Ｔ２により形成する合成樹脂製ホースやその製造方法について説明したが、
内壁や外壁の形成は、上記実施形態の製造方法に限られず、他の製造方法によるものであっても良い。
【００４０】
例えば、ホース成形軸の送りピッチ（すなわち、形成されるホースのピッチ）の２倍以上の幅を有する幅広のテープ状合成樹脂製条帯Ｔ３を螺旋状に捲回し、先行して捲回された部分にオーバーラップして後続するテープ状合成樹脂製条帯Ｔ３が捲回されるようにしながら、オーバーラップするテープ状合成樹脂製条帯Ｔ３の間に、後に補強体１２となるひも状の樹脂ひも（樹脂条帯）Ｓ１を挟み込むようにして、テープ状合成樹脂製条帯Ｔ３により内壁１１、外壁１３を形成し、樹脂ひも（樹脂条帯）Ｓ１により、補強体１２を形成するようにしても良い。そのような製造方法の模式図を図４に示す。幅広のテープ状樹脂条帯Ｔ３のうち、ホース成形軸ＳＦＴの上流側（図４の左側）に位置する部分により、円筒状の内壁１１が形成される。幅広のテープ状樹脂条帯Ｔ３のうち、ホース成形軸ＳＦＴの下流側（図４の右側）に位置する部分により、円筒状の外壁１３が形成される。溶着一体化できることと、後述する塑性変形を可能とする観点から、テープ状合成樹脂製条帯Ｔ３と樹脂ひも（樹脂条帯）Ｓ１は熱可塑性樹脂製であり、両者は半溶融状態でホース成形軸ＳＦＴに供給され捲回されることが好ましい。
【００４１】
このような方法で内壁及び外壁の形成を行っても、形成されつつある内壁及び外壁がいまだ塑性変形可能な状態にある間に、形成された螺旋状空間内に空気を吹き込むなどして圧力を加えて、外壁をホース外側に、内壁をホース内側に膨出するよう塑性変形させるようにしたので、上記合成樹脂製ホース１を、既存の製造設備を活用して効率的に製造することができる。
【００４２】
また、本発明の合成樹脂製ホースは、さらに他の層、例えば、断熱層や外部保護層などを備えるものであっても良い。こうした他の層を設ける場合には、内壁や外壁の変形を阻害しないように、他の層と内壁や外壁の間に隙間を設けるか、他の層を柔軟な層に構成することが好ましい。
【産業上の利用可能性】
【００４３】
本発明の合成樹脂製ホースは、例えば雨水等の通水管として好適に使用することができ、その製造も簡単に行うことができ、産業上の利用価値が高い。
【符号の説明】
【００４４】
１      合成樹脂製ホース
１１        内壁
１２        補強体
１３        外壁
ＳＦＴ    ホース成形軸
Ｔ１      第１樹脂条帯
Ｔ２      第２樹脂条帯
Ｓ１      補強体となる樹脂条帯
Ｃ        冷却装置
【図１】
0006415207.tif 000002
【図２】
0006415207.tif 000003
【図３】
0006415207.tif 000004
【図４】
0006415207.tif 000005